(57)【要約】  本発明は、製品または製品を内含する包装品を通過することを目的とするポイント（１６）を包含する第１パーツ（１２）と、ポイントを受け入れるオリフィス（３２ｂ；５４ｂ）を第１ゾーンに備え、挿入された後でポイントが引き抜かれるのを防止するロック手段を包含する第２パーツ（３０；５２）とを包含する、製品を盗難から保護するためのアセンブリ（１０；５０）に関する。前記アセンブリは、第２パーツが、ポイントが複数の可能位置に挿入され得る少なくとも一つの第２ゾーンを包含し、二つのパーツが共に組み立てられて二つの可能組立モードの一方で組立位置に保持され、すなわち、第１保護モードでは、第１パーツのポイントが第２パーツの開口部へ挿入されて、ユーザが工具なしで分離することができないようにロック手段が作動し、第２仮組立モードでは、ポイントが少なくとも一つの第２ゾーンへ挿入されて、ユーザが工具なしで二つのパーツを分離できるような仮組立位置に適切に保持されることを特徴とする。
2014522026.tif 000002
【特許請求の範囲】
【請求項１】
製品または前記製品を内含する包装品を通過することを目的とするスパイク（１６）を包含する第１パーツ（１２）と、一方では前記スパイクを挿入するオリフィス（３２ｂ；５４ｂ）を第１ゾーンに備えるとともに、他方では挿入された後で前記スパイクが引き抜かれるのを防止するロック手段を包含する第２パーツ（３０；５２）とを包含する、製品を盗難から保護するためのアセンブリ（１０；５０）において、前記二つのパーツが互いに組み立てられて二つの可能組立モードで組立位置に維持され、保護モードと呼ばれる第１モードでは、前記第１パーツの前記スパイクが第１挿入軸に沿って前記第２パーツの前記オリフィスへ軸方向に挿入されて、工具なしではユーザが分離できないようにロック手段が作動し、仮組立モードと呼ばれる第２モードでは、それぞれ前記第１挿入軸と平行ないくつかの挿入軸に沿って挿入されるスパイクに対応する複数の可能仮組立位置で、前記スパイクが前記第１ゾーンと異なる少なくとも一つの第２ゾーンへ挿入され、工具なしでもユーザが前記二つのパーツを分離できるように前記スパイクが各仮組立位置に保持されることを特徴とする、保護アセンブリ。
【請求項２】
前記少なくとも一つの第２ゾーン、または前記オリフィスを内含する前記第１ゾーンが、前記二つのゾーンが互いに区別されるようにする構造および／または幾何学的配置を、前記オリフィスを内含する前記第１ゾーンに対して、または前記第２ゾーンに対して有することを特徴とする、請求項１に記載の保護アセンブリ。
【請求項３】
前記第２パーツが、前記スパイクを挿入する前記オリフィス（３２ｂ）が形成される第１面（３２ａ）を包含することを特徴とする、請求項１または２に記載の保護アセンブリ。
【請求項４】
前記少なくとも一つの第２ゾーンが前記第１面（３２ａ）に配置されることを特徴とする、請求項３に記載の保護アセンブリ。
【請求項５】
前記少なくとも一つの第２ゾーンが、前記第２パーツの中空部分に各々が開口する、前記オリフィス（３２ｂ）と異なる複数の開口部（３２ｃ〜ｇ）を包含し、前記第１パーツの前記スパイクが前記開口部の一つへ挿入されて前記中空部分を貫通し、前記可能位置の一つで前記仮組立位置に保持されることを特徴とする、請求項１から４のいずれか一項に記載の保護アセンブリ。
【請求項６】
前記少なくとも一つの第２ゾーンが、前記開口部（３２ｃ〜ｇ）の各々で前記スパイク（１６）を案内するためのガイド手段（３３ｃ〜ｇ）を包含することを特徴とする、請求項５に記載の保護アセンブリ。
【請求項７】
前記ガイド手段が、各開口部を少なくとも部分的に囲繞して前記開口部と連通する一つ以上の凹部の形を取ることを特徴とする、請求項６に記載の保護アセンブリ。
【請求項８】
前記オリフィス（３２ｂ）と前記開口部（３２ｃ〜ｇ）とが前記第１面（３２ａ）に配置されることを特徴とする、請求項４と請求項５から７のいずれか一つに記載の保護アセンブリ。
【請求項９】
前記複数の開口部が前記オリフィスを少なくとも部分的に囲繞することを特徴とする、請求項８に記載の保護アセンブリ。
【請求項１０】
前記開口部と前記オリフィスとが違う高さで前記第１面に形成され、前記高さが、前記第１面が主に延在する他の二つの寸法に対して垂直な寸法で設定されることを特徴とする、請求項８または９に記載の保護アセンブリ。
【請求項１１】
前記開口部（３２ｃ〜ｇ）が高さ方向に前記オリフィス（３２ｂ）からセットバックしていることを特徴とする、請求項１０に記載の保護アセンブリ。
【請求項１２】
前記オリフィス（８２ｂ）が高さ方向に前記開口部（８２ｃ〜ｇ）からセットバックしていることを特徴とする、請求項１０に記載の保護アセンブリ。
【請求項１３】
前記少なくとも一つの第２ゾーンが、前記スパイクが仮組立位置に保持される多数の可能位置で前記スパイクが随意に挿入され得る軟質弾性材料（１１８）を包含することを特徴とする、請求項１から１２のいずれか一項に記載の保護アセンブリ。
【請求項１４】
前記少なくとも一つの第２ゾーンが、前記軟質弾性材料が充填される少なくとも一つの中空部分を包含することを特徴とする、請求項１３に記載の保護アセンブリ。
【請求項１５】
押さえ手段（１２４）が前記軟質弾性材料を前記少なくとも一つの中空部分に保持することを特徴とする、請求項１４に記載の保護アセンブリ。
【請求項１６】
前記軟質弾性材料がエラストマであることを特徴とする、請求項１３から１５のいずれか一項に記載の保護アセンブリ。
【請求項１７】
前記オリフィス（３２ｂ）を内含する前記第１ゾーンと、前記軟質弾性材料（１１８）を包含する前記少なくとも一つの第２ゾーンとが前記第１面（１１４ａ）に配置されることを特徴とする、請求項４と請求項１３から１６のいずれか一項に記載の保護アセンブリ。
【請求項１８】
前記軟質弾性材料を包含する前記少なくとも一つの第２ゾーンが、前記オリフィスを内含する前記第１ゾーンを少なくとも部分的に囲繞することを特徴とする、請求項１７に記載の保護アセンブリ。
【請求項１９】
前記少なくとも一つの第２ゾーンが、一方では前記複数の開口部（６２ｃ〜ｇ）を包含する開口部ゾーンと呼ばれるゾーンを、他方では前記軟質弾性材料（１３６，１３８）を包含する材料ゾーンと呼ばれる少なくとも一つのゾーン（Ｚ２１，Ｚ２２）を包含することを特徴とする、請求項５から１２のいずれか一項に記載であるとともに請求項１３から１８のいずれか一項に記載の保護アセンブリ。
【請求項２０】
前記開口部ゾーンと前記少なくとも一つの材料ゾーンとが前記オリフィス（１３４ａ）を含む前記第１面に配置されることを特徴とする、請求項４および１９に記載の保護アセンブリ。
【請求項２１】
前記少なくとも一つの材料ゾーン（Ｚ２１，Ｚ２２）が開口部（６２ｃ〜ｇ）の前記開口部ゾーンを少なくとも部分的に囲繞して、前記開口部ゾーンの方は前記オリフィスを少なくとも部分的に囲繞することを特徴とする、請求項２０に記載の保護アセンブリ。
【請求項２２】
前記第２パーツが、前記少なくとも一つの第２ゾーンが少なくとも一部に配置される第２面（１０４ａ）を包含することを特徴とする、請求項１から２１のいずれか一項に記載の保護アセンブリ。
【請求項２３】
前記開口部（１０６，１０８）が前記第２面に配置されることを特徴とする、請求項５から１２のいずれか一項に記載であるとともに請求項２２に記載の保護アセンブリ。
【請求項２４】
前記軟質弾性材料（１７２）を包含する少なくとも一つのゾーンが前記第２面（１６４ａ）に配置されることを特徴とする、請求項１３から１８のいずれか一項に記載であるとともに請求項２２に記載の保護アセンブリ。
【請求項２５】
製品または前記製品を内含する包装品を通過することを目的とするスパイク（１６）を包含する第１パーツ（１２）と、一方では前記スパイクを挿入するオリフィス（３２ｂ；５４ｂ）が第１ゾーンに設けられるとともに、他方では挿入された後で前記スパイクが引き抜かれるのを防止するロック手段を包含する第２パーツ（３０；５２）とを包含する、製品を盗難から保護するためのアセンブリ（１０；５０）において、前記二つのパーツが互いに組み立てられて二つの可能組立モードで組立位置に保持され、保護モードと呼ばれる第１モードでは、前記第１パーツの前記スパイクが前記オリフィスへ軸方向に挿入されて前記二つのパーツが軸方向構成で一緒に固定され、仮組立モードと呼ばれる第２モードでは、前記軸方向構成から横方向にオフセットした、前記二つのパーツの互いに対する構成に各々が対応する複数の可能仮組立位置で、前記第１パーツの前記スパイクが、前記第１ゾーンと異なる少なくとも一つの第２ゾーンに軸方向に挿入されることを特徴とする、保護アセンブリ。
【発明の詳細な説明】
【技術分野】
【０００１】
本発明は、包装されるか包装されていない製品について、盗難、特に万引きに対する保護を提供するアセンブリに関する。
【背景技術】
【０００２】
万引きに対する効果的な対策のため、より具体的には、繊維製品（シャツ、プルオーバ、下着、ズボン、ランジェリー、ネクタイ、靴下、Ｔシャツ、ドレス、コート、帽子、靴、ポロシャツ、スカート、その他）など、ある種の製品の盗難について対策を行うため、店舗経営者は、盗難防止タグ（警報タグ、ハードタグ、または「ＥＡＳタグ」とも呼ばれる）を周知の手法で使用する。これらの盗難防止タグは、スーパーマーケットまたはハイパーマーケットタイプの店舗、ブティック、専門店、免税店、百貨店、ミュージアム、ビデオクラブ、薬局などの販売箇所の出入箇所（入口／出口）、および窃盗または無許可持ち出しの可能性のあるセルフサービス用の製品を販売または展示する他の店舗または設備の出入箇所に配置されるＲＦＩＤタイプの盗難防止ゲートまたは監視システムを起動する。
【０００３】
これらのタグは概ね、
ロックシステムと、通常は店舗出入箇所に設置される検出ゲートまたはアンテナを起動する能動または受動部品とを内含するタグ本体と、
保護される製品（例えば衣服の生地）、あるいはブリスターパックの厚紙またはプラスチックを通過するピンと、
の二つのパーツから成る。
【０００４】
概して、タグは、製造場所から販売箇所へ直接的または間接的に二つのパーツとして輸送される。タグ本体は一つの容器（ボックス、カートン、その他）に入れられ、ピンは別の容器にある。
【０００５】
販売箇所で、スタッフは、タグ本体を一つの容器から、ピンを別の容器から取り出し、それからロック位置でこれらを製品に組み付けることにより、保護される製品へそのたびごとにタグを取り付ける。
【発明の概要】
【課題を解決するための手段】
【０００６】
本発明は、製品または製品を内含する包装品を通過することを目的とするスパイクを包含する第１パーツと、一方ではスパイクを挿入するオリフィスを第１ゾーンに備えるとともに、他方では挿入された後でスパイクが引き抜かれるのを防止するロック手段を包含する第２パーツとを包含する、製品を盗難から保護するためのアセンブリであって、二つのパーツが互いに組み立てられて二つの可能組立モードで組立位置に維持され、保護モードと呼ばれる第１モードでは、第１パーツのスパイクが第１挿入軸に沿って第２パーツのオリフィスへ軸方向に挿入されて、工具なしではユーザが分離できないようにロック手段が作動し、仮組立モードと呼ばれる第２モードでは、第１挿入軸と平行ないくつかの挿入軸に沿ってそれぞれ挿入されるスパイクに対応する複数の可能仮組立位置で、第１ゾーンと異なる少なくとも一つの第２ゾーンへスパイクが挿入され、工具なしでユーザが二つのパーツを分離できないような手法でスパイクが各仮組立位置に保持されることを特徴とするアセンブリを提案することにより、上述した短所の少なくとも一つを克服しようとする。
【０００７】
第２仮組立モード（このモードはロックされていない保護アセンブリを取り扱うために使用される）ゆえに、保護アセンブリ（盗難防止タグなど）の二つのパーツは、ロックされることなく組み立てられる、つまり（このモードで永久的に）固定または結合される。
【０００８】
第１ゾーンと異なり（例えば第１ゾーンから横方向にオフセットして）、複数の仮組立位置（例えば、互いに、また保護組立モードによる軸方向位置から横方向にオフセットした位置）に対応することが可能である第２ゾーンがあるために、保護アセンブリの二つのパーツは、仮組立モードで互いに容易に組み立てられ（固定または結合され）得る。可能な仮組立位置（オフセットした非ロック構成）の一つでは、第１挿入軸に沿ってスパイクがオリフィスへ挿入される保護組立モードの軸方向構成に対して、二つのパーツが互いに横方向にオフセットしている（第１挿入軸に沿った軸挿入方向に垂直な方向に横方向オフセットが生じる）ことに留意されたい。
【０００９】
二つのパーツを仮に組み立てることは、第２パーツが一つのみの単一の可能仮組立位置を有する場合よりも、実施がさらに容易である。
【００１０】
この組立の容易さは、保護される製品が販売または展示される箇所で保護アセンブリを取り扱うスタッフに時間を節約させることになる。
【００１１】
こうして、例えば、販売箇所の販売台で処理される時には、互いに組み立てられて製品を保護モードで把持している保護アセンブリの二つのパーツが、レジ係によってロック解除される。次に、本発明の第２ゾーンがあるために、二つのパーツが仮組立モードで非常に容易に互いに組み立てられる。
【００１２】
その結果、このアセンブリの二つのパーツは、保護される製品に装着される前に、すでに（工具なしで）分離される状態で互いに物理的に配置されているため、この仮組立は保護アセンブリを製品へ装着することになった時に、時間を節約する。
【００１３】
先行技術では、販売箇所の従業員は、別々の容器にある保護アセンブリの各パーツを探して（この作業に付随するスパイクによる怪我の危険を伴って）から、二つのパーツを保護モード（ロック作動状態）で組み立てるのに時間を費やさなければならなかった。
【００１４】
保護される製品に装着される準備の整った単一部品材として保護アセンブリが存在し、工具を使用して二つのパーツをロック解除する必要がないことにより得られる時間の節約は、１回の取り付け作業のみであってもとても無視できないものである。１年の間に数回の取り付け作業が行われることを考えると、時間の節約は相当なものである。
【００１５】
また、怪我の危険がかなり軽減される。
【００１６】
より一般的には、前記の少なくとも一つの第２ゾーンは、オリフィスの直径の寸法よりも、また第１ゾーンの寸法よりも大きく、仮組立モードでスパイクを受容する単一開口部の直径の寸法よりも大きい寸法を有する。
【００１７】
これらの寸法拡大は、可能仮組立位置が一つのみである場合と比べて、可能仮組立位置（オフセット構成）の一つでスパイクを少なくとも一つの第２ゾーンへ挿入することを容易にする。
【００１８】
また、アセンブリの二つのパーツが仮に組み立てられると、各パーツが別々に占める空間と比べて少量の空間を占める。
【００１９】
この手段は、保護アセンブリを輸送および保管するのに好都合である。保護アセンブリの二つのパーツの各々に一つずつの、二つの別々の容器がもはや必要ではなく、一つの容器のみで充分であり、例えば保護アセンブリは一つの商品整理番号を必要とするに過ぎない。
【００２０】
そのため、物流および商業循環（注文、供給など）が単純化される。
【００２１】
保護アセンブリはまた、販売台で処理された後でリサイクルが容易であり（分類作業が省略されるなど）、かなりの時間節約を提供する。
【００２２】
この実施形態では、怪我の危険を軽減させるため、第１パーツのスパイクの自由端部の少なくとも一部が第２パーツの内側で保護される。スパイクの自由端部の少なくとも一部を保護することは、自由端部が必ずしもすべての側で壁に囲繞されなくてもよいことを意味する。
【００２３】
スパイクの自由端部を保護することにより、このスパイクは早期摩耗からも保護されることにも留意されたい。このような摩耗は徐々に発生し、スパイクを徐々に鈍化して、繊維へのダメージを増大させることにより、製品、特に繊維製品にダメージを与える実際的な危険を伴う。
【００２４】
そのため、本発明によって、細いスパイクの寿命が長くなって、以前に達成されていたよりも長い間、破損を起こさずに繊維をうまく分離することができる。実際に先行技術においては、店舗で、スパイクを備える保護アセンブリの第１パーツが第２パーツとは別にリサイクルされる。スパイクを備える第１パーツは容器に投げ込まれ、スパイクが互いにこすれたりぶつかったりして、その早期摩耗につながる。
【００２５】
考えられる一つの特徴によれば、前記少なくとも一つの第２ゾーンは、少なくとも一つの第２ゾーンがオリフィスの第１ゾーンから区別されるようにする、オリフィスを内含する第１ゾーンに対する構造および／または幾何学的配置を有する。
【００２６】
前記少なくとも一つの第２ゾーンについて適切な構造および／または幾何学的配置を設けることにより、保護アセンブリを取り扱おうとするスタッフがこのゾーンと、オリフィスを内含する第１ゾーンとを区別することが容易になる。こうして、このスタッフは前記少なくとも一つの第２ゾーンを簡単に識別することができ、そのため仮組立位置を探すために失われる時間が少ない。
【００２７】
前記少なくとも一つの第２ゾーンは、例えば、オリフィスの第１ゾーンと異なるゾーンに、そして複数の可能位置でスパイクを受容できるように、この第２ゾーンの形状および／または寸法および／または構成材料を適応させることによる構造および／構成を持つことが可能である。
【００２８】
上に提示された考えられる特徴の一つに依存してもしなくてもよい、考えられる一つの特徴によれば、前記少なくとも一つの第２ゾーンは、例えば、スパイクが挿入され得るいくつかの（予備形成）開口部の存在による、および／または材料全体にスパイクが随意に挿入されて取り出され得る材料の存在（この材料の存在は、複数の、むしろ多数の予備形成でない開口部が設けられると考えられることを意味する）による構造および／または構成を持つとよい。
【００２９】
前記少なくとも一つの第２ゾーンは、幾何学的には、二つのゾーンが明らかに同一であって視覚的に区別可能であるように、オリフィスを内含する第１ゾーンから多かれ少なかれ離間した領域に配置されるとよい。
【００３０】
前記少なくとも一つの第２ゾーンの構造と幾何学的配置の両方を適応させることも想像可能である。保護アセンブリの第２パーツが比較的小さい寸法を有して、前記少なくとも一つの第２ゾーンを第１ゾーンから短い距離だけ離間して配置することを所望する時には、これは有益であるかもしれない。前記少なくとも一つの第２ゾーンと第１ゾーンとが、保護アセンブリの第２パーツの一つの同じ面、表面、または壁部にある時に、このような配置が見られる。
【００３１】
考えられる一つの特徴によれば、第２パーツは、スパイクを挿入するオリフィスが形成される第１面を包含する。
【００３２】
この面の形状は必ずしも平面状でなくてもよいこと、そして特にドーム状または凹状であってもよいことに留意されたい。
【００３３】
この第１面はレリーフを有してもよく、例えば、挿入オリフィスが第１面の全体からセットバックするかこれに対して突出していてもよい。
【００３４】
考えられる別の特徴によれば、前記少なくとも一つの第２ゾーンはオリフィスとは異なる複数の開口部を包含して各々が第２パーツの中空部分に開口し、第１パーツのスパイクが開口部の一つへ挿入されて、可能位置の一つで仮組立位置にスパイクを保持するように設計された中空部分を貫通する。
【００３５】
こうして、前記少なくとも一つの第２ゾーンにある複数の開口部ゆえに、複数の可能挿入位置が得られる。
【００３６】
この複数の開口部は、二つのパーツを仮に組み立てなければならないスタッフにとって保護アセンブリの取り扱いを容易にする。
【００３７】
事実上、スパイクを配置するためにスタッフが利用できるのが保護アセンブリの第２部分に見られる一つの仮組立開口部のみである場合よりも、作業が厄介ではない。
【００３８】
考えられる一つの特徴によれば、スパイクは、第２の仮組立モードで中空部分の内側に配置される自由端部を有することで、自由端部を完全に保護する。
【００３９】
考えられる一つの特徴によれば、各開口部および／またはこれが開口する中空部分は、第２モードでスパイクがこれらへ強制的に挿入されて仮組立位置に保持されるように、スパイクのものと充分近い寸法を有する。
【００４０】
このような仮組立モードは、達成するのが特に簡単である。
【００４１】
考えられる一つの特徴によれば、第２パーツは、内壁部と、各開口部について、内壁部に取り付けられて、スパイクを受容する中空部分を内壁部とともに画定する内部部材とを包含する。
【００４２】
そのため、いくつかの中空部分を内壁部とともに画定する一つ以上の内部部材が第２パーツに設けられる。
【００４３】
考えられる一つの特徴によれば、内壁部は実質的に円筒形であって、単数または複数の内部部材は、壁部の周囲に装着されるリングを形成する。壁部は、スパイクを挿入するため局所的に中断されるとよい。
【００４４】
リングが弾性であるとよく、スパイクが内壁部とリングとの間に強制的に挿入されることに留意されたい。
【００４５】
考えられる一つの特徴によれば、第２パーツは、スパイクが引き抜かれるのを防止しようとする機械力をスパイクに印加するように、中空部分に収容されるスパイクと協働する内部部材を各開口部について包含する。こうして、一つ以上の内部部材は、可能な各開口部へ挿入されるスパイクと協働するように設けられている。
【００４６】
この実施形態によれば、スパイクが強制的に挿入される以前の実施形態で可能であるよりも容易に、スパイクが第２パーツへ挿入され得る。
【００４７】
考えられる一つの特徴によれば、内部部材、またはいくつか設けられる場合には各内部部材が第２パーツの壁部に固着されて、例えば、弾性的に取り付けられたタブの形を取るとよい。
【００４８】
仮固定または組立部材、あるいは各部材は、こうして保護アセンブリの第２パーツを含むように製造され、外側からは視認不能である。
【００４９】
考えられる一つの特徴によれば、前記少なくとも一つの第２ゾーンは、開口部の各々でスパイクを案内するためのガイド手段を包含する。
【００５０】
これは、開口部の各々へ接近する際にスパイクが案内されることを可能にし、そのためこれらの開口部の一つへのこのスパイクの挿入を促進する。
【００５１】
ガイド手段は各開口部と関連しているとよいことに留意されたい。
【００５２】
ガイド手段の存在は、開口部にスパイクを配置する際の、本発明による保護アセンブリの二つのパーツを仮に組み立てる際の助けとなる。
【００５３】
第２パーツを案内するガイド手段がその第１面に配置されるとよいことに留意されたい。
【００５４】
考えられる一つの特徴によれば、ガイド手段は、各開口部を少なくとも部分的に囲繞してこれと連通する一つ以上の凹部の形を取る。
【００５５】
例えば、実質的に収束または漏斗形状を有する凹部の底面に各開口部が配置されるとよい。
【００５６】
代替的に、複数の開口部のすべてが単一の空洞の底面に配置されてもよい。
【００５７】
代替的に、一つ以上の違う凹部によって開口部が互いに接続されてもよい。
【００５８】
空洞または凹部が本発明による保護アセンブリの第２パーツの第１面に形成されるとよいことに留意されたい。
【００５９】
考えられる別の特徴によれば、複数の開口部が複数の溝部によって相互接続される。
【００６０】
考えられる一つの特徴によれば、スパイク挿入オリフィスと複数の開口部とが第１面に配置される。
【００６１】
この手法では、保護アセンブリを取り扱わなければならないスタッフが行っている習慣に対する顕著な変更が見られるわけではないため、この配置によって仮組立が特に実施容易なものとなる。
【００６２】
また、これらの開口部の一つを介して二つのパーツが仮に組み立てられる時には、二つのパーツは（ロック位置にある際のように）互いにセンタリングされているのではなく互いに径方向にオフセットしており、これは保護モードとの比較により仮組立モードの認知を非常に容易にする。
【００６３】
考えられる一つの特徴によれば、複数の開口部は少なくとも部分的にオリフィスを囲繞する。
【００６４】
複数の開口部を包含する第２ゾーンは、こうしてオリフィスを内含する第１ゾーンと異なっている。
【００６５】
複数の開口部は、例えば、オリフィスを囲繞する環状の帯またはゾーンに分散される。
【００６６】
開口部の数は、例えば、保護アセンブリの寸法に、そして特に第２パーツの第１面の寸法に適したものである。
【００６７】
考えられる一つの特徴によれば、開口部とオリフィスとが異なる高さで第１面に形成され、この高さは、第１面が主に延在する他の二つの寸法に対して垂直な寸法で考えられる。
【００６８】
オリフィスと複数の開口部との間のこのレベルまたは高さの差は、特定のレリーフを設けることにより第１面の構造を変化させる。
【００６９】
この高さレベルの差は、こうして開口部の一つへのスパイクの配置を助ける手段となる。
【００７０】
代替形では、開口部は必ずしもオリフィスと同じ高さに配置されないことに留意されたい。
【００７１】
考えられる一つの特徴によれば、開口部は高さ方向にオリフィスからセットバックしている。
【００７２】
別の代替例によれば、オリフィスは高さ方向に開口部からセットバックしている。
【００７３】
これら二つの代替的配置の各々は、複数の開口部を支承している少なくとも一つの第２ゾーンが、オリフィスを内含する第１ゾーンと区別されることを可能にする。
【００７４】
開口部とオリフィスとを異なる高さに形成することにより、開口部の各々でスパイクを案内する手段、例えば各開口部と関連するガイド手段を設けることも可能である。
【００７５】
考えられる一つの特徴によれば、前記少なくとも一つの第２ゾーンは、仮組立位置でスパイクが保持される多数の可能位置にスパイクが随意に挿入されるようにする軟質弾性材料を包含する。
【００７６】
第２パーツの少なくとも一つの第２ゾーンにこのような材料を設けることにより、第１パーツのスパイクが多数の可能仮組立位置に挿入されて随意で完全に引き抜かれるゾーンが、こうして形成される。
【００７７】
このような材料は、例えば、弾性ゴムなどのエラストマである。
【００７８】
この材料は例えば、所望の形状に射出成形されてから、保護アセンブリの第２パーツへ挿入される。
【００７９】
このような構造または構成を持つ前記少なくとも一つの第２ゾーンは、予備形成されずに、スパイクが材料へ導入される時にこれにつれて形成される多数の開口部があるために多数の可能仮組立位置を包含することに留意されたい。
【００８０】
考えられる一つの特徴によれば、前記少なくとも一つの第２ゾーンは、軟質弾性材料が充填される少なくとも一つの中空部分を包含する。
【００８１】
第２パーツはこうして、例えば射出成形によりすでに形成されている軟質弾性材料が充填される少なくとも一つの中空部分を有するため、この材料は中空部分で利用可能な空間を占める。
【００８２】
前記少なくとも一つの第２ゾーンは、いくつかの中空部分の各々に適した寸法および形状を持つ、軟質弾性材料が各々に充填されるいくつかの中空部分から形成されることに留意されたい。
【００８３】
考えられる一つの特徴によれば、押さえ手段は前記少なくとも一つの中空部分に軟質弾性材料を保持する。
【００８４】
これらの手段は、第１パーツのスパイクが中空部分へ押し込まれてこれを引き抜くことが所望される時に、中空部分から、またはハウジングから材料が再び出るのを防止することを可能にする。
【００８５】
考えられる一つの特徴によれば、オリフィスを内含する第１ゾーンと軟質弾性材料を包含する前記少なくとも一つの第２ゾーンとは、第１面に配置される。
【００８６】
この配置では、保護アセンブリを取り扱う作業を行っているスタッフがその習慣を大きく変える必要がないため、仮組立の達成が特に簡単である。
【００８７】
スパイク挿入オリフィスを支承するものと同じ面にこのような材料が存在することは、やはり、第２ゾーンと第１ゾーンとの間に明白な相違が設けられることを可能にし、こうして仮組立ゾーンにスパイクを配置することを容易にする。
【００８８】
第２ゾーンに可視開口部が存在しないと、ユーザが挿入オリフィスを仮組立のための開口部と混同する危険がないことに留意されたい。
【００８９】
特定の配置によれば、前記少なくとも一つの第２ゾーンは、オリフィスを少なくとも部分的に囲繞する軟質弾性材料を包含する。
【００９０】
達成が簡単である一つの特定配置では、前記少なくとも一つの第２ゾーンが、オリフィスを内含する第１ゾーンを囲繞する軟質弾性材料の帯を包含する。
【００９１】
第２パーツに設けられる中空部分またはハウジングはこうして、オリフィスが置かれる第１ゾーンを包含する中央部を囲繞する実質的に環状の形状を有する。
【００９２】
実施形態の代替形では、前記少なくとも一つの第２ゾーンが、軟質弾性材料の環状部分を各々が包含するいくつかのゾーンを包含し、これらのゾーンすべてが、オリフィスを内含する第１ゾーンを少なくとも部分的に囲繞することに留意されたい。
【００９３】
例えば、オリフィスの周囲に、これからある距離に配置される一つまたはいくつかの環状ゾーン部分で対処することが可能であることに留意されたい。
【００９４】
考えられる一つの特徴によれば、前記少なくとも一つの第２ゾーンは、複数の開口部を包含する開口部ゾーンと呼ばれるゾーンと、軟質弾性材料を包含する材料ゾーンと呼ばれる少なくとも一つのゾーンとを包含する。
【００９５】
この実施形態は、開口部と軟質弾性材料の両方を組み合わせることで、仮組立を達成するための高い使用柔軟性を提供する。
【００９６】
考えられる一つの特徴によれば、開口部ゾーンと前記少なくとも一つの材料ゾーンとは、オリフィスを含む第１面に配置される。
【００９７】
この配置はやはり、保護アセンブリを取り扱う作業を行うスタッフがその習慣を変えることなく仮組立が簡単な手法で達成されることを可能にする。
【００９８】
材料ゾーンに対する開口部ゾーンの配置は、要件により、また保護アセンブリ、特にその第２パーツの構成により決定される。
【００９９】
一つの特定の配置によれば、前記少なくとも一つの材料ゾーンは開口部ゾーンを少なくとも部分的に囲繞し、また開口部ゾーンはオリフィスを少なくとも部分的に囲繞する。
【０１００】
逆の配置も予想され得ることに留意されたい。
【０１０１】
材料中で、または開口部において尖鋭であることが必要なスパイク長さが第２パーツの場所により変化してもよく、またはこれらの開口部またはこれらの材料が設けられることに注意すべきである。
【０１０２】
こうして、材料への貫通長さより大きく、仮組立の位置を安定的に維持するのに必要とされる開口部におけるスパイク貫通長さを予想することが可能である。
【０１０３】
考えられる別の実施形態によれば、第２パーツは、少なくとも一つの第２ゾーンが少なくとも一部に配置される第２面を包含する。
【０１０４】
この第２面は、例えば、第１面と反対の面である。
【０１０５】
この第２面は、例えば、実質的に半球形であるとよい凸形状を取るか、他の何らかの形状を取ってもよい。
【０１０６】
前記少なくとも一つの第２ゾーンはこうして、この第２面の全体または一部に設けられるとよい。
【０１０７】
考えられる一つの特徴によれば、開口部が第２面の全体または一部に配置される。
【０１０８】
こうして、一つの特定配置によれば、これらの保護アセンブリを取り扱うスタッフに利用可能な仮組立の選択肢を増やすように、複数の開口部が第１面と第２面との間に分散されるとよい。
【０１０９】
考えられる別の特徴によれば、軟質弾性材料を包含する前記少なくとも一つの第２ゾーンが第２面の全体または一部に配置される。
【０１１０】
こうして、軟質弾性材料を包含するゾーン、またはいくつかのゾーンを第２面に有することと、例えば、第１面と同じ方法を採用することがあり得る。
【０１１１】
代替形において、第１および第２面のうち、一方が開口部ゾーンと材料ゾーンの両方を包含して、他方が開口部ゾーンのみまたは材料ゾーンのみを包含してもよい。
【０１１２】
代替的に、一つの面が材料ゾーンを包含するとよく、一方、他の面が開口部ゾーンを包含するとよい。
【０１１３】
上記の第１および第２面の一方および／または他方に対応する一つ以上の面または表面を第２パーツが包含してもよいことに留意されたい。
【０１１４】
一つの特徴によれば、第２仮組立モードにおいて、スパイクがオリフィスへ挿入され、保護アセンブリは、ロック手段を仮に作動停止させる手段を包含する。
【０１１５】
この実施形態では、例えば、スパイク挿入オリフィスが仮組立に使用され、保護アセンブリを取り扱う作業を行うスタッフにとってこれがさらに実用的であることが判明している。
【０１１６】
こうして、二つのパーツが一緒にロックされて、これらを分離するのに特殊な工具を必要とすることはなく、スパイクがオリフィスへ挿入され得る。こうして、スタッフは、間違いの危険を伴わずに、仮組立のために開口部とオリフィスのうちいずれか一つを使用できる。
【０１１７】
保護される製品に最初に装着される前の組立サイクルに最初に関わるため、第２仮組立モード（オリフィスと、ロック手段を仮に作動停止する手段）を使用することが考えられる。作動停止手段が取り除かれると、仮組立のため、もはやオリフィスではなく少なくとも一つの第２ゾーンを使用して保護アセンブリが取り扱われることが可能である。
【０１１８】
考えられる一つの特徴によれば、保護アセンブリの第２パーツがケーシングを形成する。
【０１１９】
このケーシングは様々な形を取り、例えば、実質的に平坦な第１面と反対側の凸形状の第２面とを有するとよい。
【０１２０】
しかし、わずかな厚さで実質的に平行六面体の形状をケーシングが取ってもよい。
【０１２１】
概して、保護アセンブリは、保護アセンブリの外側へ電磁波を放出するか、外部源からこのような電磁波を受理することのできる少なくとも一つの能動または受動部材を包含する。
【０１２２】
こうして、外部盗難防止保護／検出補助システム（例えば盗難防止ゲート）と協働してアラームを起動させる単数または複数の能動または受動部材が、ケーシングに収容される。
【０１２３】
保護アセンブリ（例えばケーシング）により支承される部材は、例えば、補助システムの近傍に所在する時に電磁波を受理する受動部材である。
【０１２４】
このような受動部材は、例えば、回路の共振周波数で放出される励起波の作用を受けて、それ自体周知である手法で共振を始める共振電気回路である。
【０１２５】
代替形によれば、盗難防止保護／検出機能を実施する単数または複数の能動または受動部材は、ケーシングを形成する第２パーツではなく保護アセンブリの第１パーツに置かれてもよいことに留意されたい。
【０１２６】
考えられる一つの特徴によれば、中空部分がケーシングの外周部に形成され、中空部分への各開口部がこのケーシングの外面に設けられる。中空部分はこうして、ケーシングの厚みの中に形成される。例えば、中空部分を構成するいくつかの切欠きの各々に第１パーツのスパイクを挿入および収容するため、これらの切欠きがケーシングに形成される。例えばこのような切欠きは、例えば、ケーシングの縁面に（その厚みの中で）、ケーシングの外周部に形成される溝部／スロットである。
【０１２７】
こうして、これらの切欠きはスパイクの自由端部が収容されるようにし、そのため二つのパーツがいくつかの可能位置で仮に相互関連するばかりでなく、保護アセンブリを取り扱う時に怪我の危険からスタッフを保護する。
【０１２８】
本発明の別の主題は、製品または製品を内含する包装品を通過することを目的とするスパイクを包含する第１パーツと、一方ではスパイクを挿入するオリフィスを含む第１ゾーンに設けられ、他方では挿入された後でスパイクが引き抜かれるのを防止するロック手段を包含する第２パーツとを包含する、製品を盗難から保護するためのアセンブリであって、二つのパーツが互いに組み立てられて二つの可能組立モードで組立位置に維持され、保護モードと呼ばれる第１モードでは、第１パーツのスパイクがオリフィスへ軸方向に挿入されて二つのパーツが軸方向構成で一緒に固定され、仮組立モードと呼ばれる第２モードでは、軸方向構成から横方向にオフセットした二つのパーツの相対的構成に各々が対応する複数の可能仮組立位置で、第１ゾーンと異なる少なくとも一つの第２ゾーンへ第１パーツのスパイクが軸方向に挿入されることを特徴とするアセンブリである。
【０１２９】
上に提示された特徴および長所は、上記の本発明の説明にも当てはまる。
【０１３０】
非限定的な例としてのみ挙げられ添付図面を参照して行われる以下の説明の過程で、他の特徴および長所が明白になる。
【図面の簡単な説明】
【０１３１】
【図１ａ】本発明の第一実施形態による仮組立位置での保護アセンブリの長手方向断面の概略図である。
【図１ｂ】ケーシングの第１面の正面図である。
【図２】本発明の第二実施形態による仮組立位置での保護アセンブリの長手方向断面の概略図である。
【図３】本発明の第三実施形態による仮組立位置での保護アセンブリを図示する。
【図４】本発明の第三実施形態による仮組立位置での保護アセンブリを図示する。
【図５】本発明の第四実施形態による仮組立位置での保護アセンブリの長手方向断面の概略図である。
【図６】本発明の第五実施形態による仮組立位置での保護アセンブリを図示する。
【図７】本発明の第五実施形態による仮組立位置での保護アセンブリを図示する。
【図８】図６の実施形態の代替形による保護アセンブリの概略図である。
【図９】本発明の第六実施形態による仮組立位置での保護アセンブリの概略斜視図である。
【図１０】本発明の第七実施形態による仮組立位置での保護アセンブリの概略図である。
【図１１】本発明の第七実施形態による仮組立位置での保護アセンブリの概略図である。
【図１２】本発明の第八実施形態による保護アセンブリの一部の概略斜視図である。
【図１３】図１２の実施形態の代替形による保護アセンブリの一部の概略図である。
【図１４】本発明の第九実施形態による仮組立位置での保護アセンブリの概略図である。
【発明を実施するための形態】
【０１３２】
図１ａに概略的に示されているように、商用製品（衣服など）を盗難から保護する、全体として参照番号１０で表されているアセンブリは、製品、または例えば製品を内含するブリスターパックタイプの包装品を通過することを目的とするスパイク１６を備えるヘッド１４を包含する第１パーツ１２を包含する。
【０１３３】
より具体的に述べると、ヘッドは、スパイクのヘッドを形成するスパイクの一端部１６ａが中央部に取り付けられる、全体としてトレイの形を持つ第１部分１８を包含する。
【０１３４】
トレイ１８の中央部は、スパイクのヘッド１６ａを収容できるように残部よりも肉厚であることに留意されたい。
【０１３５】
トレイ１８を形成する部分は、トレイの底面１８ａにより部分的に、また環状縁部２０により部分的に画定される内部ハウジング２２を形成するようにスパイクから離間する方向に延在する環状縁部２０を包含する。
【０１３６】
トレイ１８を形成する部分は、スパイク１６の本体が実質的に垂直に延出する、面１８ａと反対側の面１８ｂを包含する。
【０１３７】
保護インタフェース要素２４（可撓性または剛性）は、環状縁部２０の内面に当接することによりハウジング２２を密閉する。
【０１３８】
ハウジング２２は、例えば、保護インタフェース要素２４（キャップ、窓、フィルムなど）の光学的性質（例えば透明性）のためにヘッド１４の外側から視認可能な印刷ウェハを包含する。
【０１３９】
盗難防止タグの名称でも知られている保護アセンブリは、図１ａに示された例では二つの部分を包含するケーシングの全体形を持つ第２パーツ３０も包含する。
【０１４０】
第１部分３２は、従来通りにロックされた組立モードでのスパイク１６の挿入のためプレートの厚みを通過する中央オリフィス３２ｂが形成される第１面３２ａを有する実質的に平坦形状のプレートに例えることができる。このオリフィス３２ｂは、図２に示された中央第１ゾーンＺ１に配置される。
【０１４１】
第２パーツ３０は、ここでは例えばドームの形または実質的に半球形状を取る凸状の全体形状の第２部分３４も包含する。
【０１４２】
この第２部分は、所定数の要素を収容することができ、ここではスパイク挿入オリフィスを備えるプレート３２によって赤道面で密閉される開口部を有するように、全体として中空である。
【０１４３】
第２部分３４は、スパイク１６が挿入オリフィス３２ｂから導入された後で引き抜かれるのを防止することを目的とするロック手段が配置された中央空洞３６を包含する。
【０１４４】
この中央空洞は、ケーシングの外被部を規定する壁部４４の内面４４ａ（底面）から延出して反対端部で開口する、例えば円筒形の内壁部４２により画定される。
【０１４５】
第２部分３４の内側に面する中央部のプレート３２は、例えば実質的に円筒形である内壁部を形成する突出部分３２ｅを包含する。
【０１４６】
この壁部３２ｅは壁部４２に密着して、スパイク１６を受容するため壁部３２ｅが局所的に中断されているいくつかの場所を除いて壁部のほとんどすべてを囲繞する。
【０１４７】
明瞭化のため、図１ａにはロック手段が示されていない。
【０１４８】
これらは、ボールタイプのロック手段など、それ自体が周知の手段である。
【０１４９】
このような手段は例えば、一つの同じ面で空洞３６の内側にある漏斗の内側に置かれて、スパイク１６を収容する中央空間を間に残すいくつかのボールを包含する。
【０１５０】
スパイクがボールの間の空間へ挿入されると、ボールは漏斗の収束部に食い込んだ状態となる。
【０１５１】
スパイクを軸方向に引き抜こうとすると、漏斗の収束部分にボールをよりきつく食い込ませ、そのためスパイクを移動不能にする傾向がみられる。
【０１５２】
ボールは金属で製作されて、より具体的には磁気材料で製作され、これは外部磁界の作用を受けて漏斗の収束部からこれらが取り出され得ることを意味する。
【０１５３】
第２部分３４はまた、例えば受動的な、つまり保護アセンブリ１０の外部の供給源から生じる電磁波を受容することのできる部材またはいくつかの部材を収容する環状室３８を、空洞３６の外周部に包含する。
【０１５４】
このような部材は、例えばＬＣタイプの共振回路の形を取る。
【０１５５】
代替的に、ケーシングは、一つ以上の能動部材、つまり保護アセンブリの内側から外側へ電磁波を放出することのできる部材を内含してもよい。
【０１５６】
このような能動または受動部材は、例えば、コンデンサ、ＬＣＲ回路、磁気フィラメント、能動または受動メモリチップを備えるＲＦＩＤタイプの回路などを含むか含まないフェライトコイルである。この、またはこれらの部材は、保護される単数または複数の製品が販売されている店舗の出入箇所で保護アセンブリが検出されたとのアラームを起動させるように、この出入箇所に置かれるゲートまたはアンテナなどの外部検出システムと、電磁波の送信を介して協働する。
【０１５７】
明瞭化のため、この、またはこれらの部材は、図１ａには示されていることも示されていないこともある。
【０１５８】
この図が示しているように、プレート３２は、プレートの厚みを通過して、開口部と異なりこれから距離を置いた挿入オリフィス３２ｂと平行に配置された、第１面３２ａに配置の開口部３２ｃを包含する。
【０１５９】
この開口部は、第１パーツ１２と第２パーツ３０との仮組立を目的とする。
【０１６０】
図１ａに示されているように、第１パーツ１２のスパイク１６は開口部３２ｃへ挿入され、自由端部１６ｂがケーシングのこの中空部分の内側に位置するように、その長さの大部分にわたって環状室３８の内側と嵌合する。
【０１６１】
開口部３２ｃは、ハブ形成壁部３２ｅが局所的に中断される箇所の一つに配置され、このくぼみの寸法は二つの中断壁部分と壁部４２との間にスパイクを受容するように調整されることに留意されたい。
【０１６２】
ケーシングの内部の部材はケーシングの内側に設けられて、スパイク１６が引き抜かれるのを防止する傾向を有する機械力をこのスパイクに印加する。
【０１６３】
環状リング（またはワッシャ）の形の内部部材４０は形成壁部３２ｅを囲繞し、プレート３２がカバーのようにケーシングを密閉する位置に取り付けられる前に、壁部３２ｅの周囲に強制的に装着される。
【０１６４】
この部材４０は、例えば、弾性ゴムなどの弾性材料で製作される。これは、アセンブリが製造されている時に導入される変形を非常に少なくするという利点を有する追加部品を構成する。
【０１６５】
次にスパイク１６が（挿入オリフィス３２ｂへのスパイクの挿入軸と平行な挿入軸に沿って）開口部３２ｃへ挿入され、リング４０と壁部４２との間でハブのゾーンが除去されているところ（スロット）まで摺動する。
【０１６６】
スパイク１６はこうして第２パーツ３０の内側に所在するこの中空部分へ強制的に装着され、中空部分の寸法は、軸方向の引き抜きが過度に容易となるのを防止するような、スパイクの寸法と充分に類似したものである。
【０１６７】
第１面３２ａの正面図である図１ｂに示されているように、いくつか（例えばここでは５個）の開口部３２ｃ，３２ｄ，３２ｅ，３２ｆ，３２ｇが、オリフィス３２ｂを内含する第１ゾーンＺ１と異なる第２ゾーンＺ２でプレート３２の厚みに設けられている。開口部３２ｄ〜ｇは開口部３２ｃと同一であり、これらの開口部は、壁部３２ｅが局所的に中断されるそれぞれの場所で第１面に配置されている。
【０１６８】
開口部３２ｄ〜ｇを介して（開口部の各々を通過するとともに、挿入オリフィス３２ｂを通過する挿入軸に平行である挿入軸に沿って）スパイク１６を挿入して第２パーツ３０の内側にこれを維持する手法は、開口部３２ｃに関して説明されたものと同じである。
【０１６９】
スパイクをオリフィス３２ｂへ案内するため、凹部または拡張部３３ｂがこのオリフィスの周囲に形成される。
【０１７０】
スパイクをオリフィス３２ｂへ案内するため、いくつかの凹部または拡張部３３ｂがこのオリフィスの周囲に形成される。
【０１７１】
いくつかの凹部３３ｃ〜ｇが、開口部３２ｃ〜ｇへスパイクを案内するためこれらの開口部の周囲にそれぞれ形成され、こうして可能仮組立位置の一つにスパイクを配置することを容易にする。
【０１７２】
各凹部は、例えば、皿または漏斗などの収束形状の形を有して、その底面には開口部への入口が所在している。凹部の壁部はこうして、対応の開口部への入口へスパイクを案内する。
【０１７３】
各凹部３３ｃ〜ｇの寸法は凹部３３ｂのものより広いため、開口部３２ｃ〜ｇの一つへスパイクを挿入する作業が一層容易となる。
【０１７４】
第１面、特に開口部を内含する第２ゾーンＺ２はこのゾーンを第１ゾーンと区別する構造／構成を持つことに留意されたい。ガイド手段３３ｃ〜ｇは、この構成に寄与する。
【０１７５】
また、開口部３２ｃ〜ｇはオリフィス３２ｂから、そして第１面３２からセットバックしている。こうして、第１面に与えられるレリーフも、二つのゾーンを互いに区別すること、そのため仮組立位置の一つへのスパイクの配置を容易にすることの助けとなる。
【０１７６】
図１ａに示されている位置（横方向オフセット構成）では、二つのパーツ１２および３０は、先行技術よりも良好な手法で、特に二つのパーツの一方が置き間違えられる危険を伴わずに、これらの輸送および取り扱いが可能となるように相対的な仮組立／固定が行われる。
【０１７７】
こうして、第１パーツのスパイクの自由端部は外側から隠れており、アセンブリを取り扱っている者に対する怪我の危険を回避するとともに、（衝突、不要な接触などによる）早期摩耗から自由端部を保護する。
【０１７８】
さらに、このような保護アセンブリを取り扱うスタッフは特殊な工具を必要とせずに二つのパーツを互いに分解することができるため、この仮組立モードは特に実用的である。
【０１７９】
実際に必要とされるのは、片手で第２パーツを保持しながら反対の手を用いて引き抜き力が第１パーツへ印加されることのみである。
【０１８０】
それから、盗難に対する保護を提供するロック位置に組み立てられるように第１パーツと第２パーツとを周知の手法で製品に載せるだけで充分である。
【０１８１】
図１ａの仮組立モードは、保護アセンブリを輸送する時とこれを保管する時にも空間の節約を可能にすることにさらに留意されたい。
【０１８２】
仮組立手段を保護アセンブリに組み込むことは、こうして、二つのパーツが相互関連しているがロックされていない状態で保護アセンブリが取り扱われることが可能であるため、このアセンブリに新たな機能性を付与する。
【０１８３】
部分破断図である図２は、二つのパーツ１２および３０と、スパイクを仮組立位置に維持するためのケーシング内部の別のタイプの部材とを含む、別の保護アセンブリ５０を図示している。
【０１８４】
この内部部材は、例えば、ケーシング内部の壁部に固着され、例えばタブの形を取り、このタブは二つの位置を採用できるようにある程度の弾性を有することに留意されたい。
【０１８５】
図２において、ケーシングを形成するプレート５２には、中央オリフィス５２ｂと、いくつかの外周開口部とが穿設され、そのうち５２ｃの一つのみが示されている。この代替形の実施形態では、第１面５２ａは中央部が若干凹状で、オリフィス５２ｂと開口部とはガイド手段を備えていない。
【０１８６】
図２に点線で図示された第１位置では、開口部５２ｃへ挿入されてケーシングの中空部分へ前進する際のスパイク１６の経路を横切るように、タブ５４は若干傾斜している。
【０１８７】
進入するスパイクがタブ５４に当たると、その弾性のため、スパイクはタブ５４を第１位置から若干偏向させるため、タブは図２に実線で示された第２位置を占める。
【０１８８】
この第２位置で、タブはスパイク１６に弾性復帰力を印加し、そのため、ハブ形成内壁部（ここでは示されていないこの壁部は図１ａの壁部３２ｅに対応する）に設けられたスロットにおいて、中央空洞３６を画定する内壁部４２にスパイクを押し付けようとする推力を印加する。
【０１８９】
タブ５４は、自由端部に、すなわち支持体５２を形成するプレートに固定されない端部に、スパイク１６と接触することを目的とする突出部５４ａを形成する肉厚部を有することに留意されたい。
【０１９０】
この部分は、特に摩耗に対する耐性が高くなるように、タブの本体を形成する部分よりも肉厚である。
【０１９１】
図２に図示された例では、第１面５２ｅと反対の面であるプレート５２の内面５２ｄにタブ５４が固着されることに留意されたい。
【０１９２】
しかし、示されていない代替形では、内部部材がケーシング３０の壁部４４に固着されてもよい。
【０１９３】
図３および４は、本発明による保護アセンブリの別の実施形態を図示している。
【０１９４】
保護アセンブリ６０は、二つのパーツ、すなわち、図１ａのものと同一の第１パーツ１２と、図１ａの第２パーツ３０と比較すると若干変形された第２パーツ６４とを包含する。
【０１９５】
図１ａの実施形態のように、第２パーツ６４は、ケーシングの中空本体を構成する第２部分６６の実質的に平面状の密閉プレートを構成する第１部分６２を包含する。
【０１９６】
図１ａの第１面３２ａと全く同様の第１面６２ａは、スパイク６２ｂの挿入のためのオリフィスと、実質的にオリフィス６２ｂの周囲に配置される複数の開口部６２ｃ〜ｇとを包含する。
【０１９７】
こうして、やはり、開口部６２ｃ〜ｇを包含する第２ゾーンは、オリフィス６２ｂを内含する第１ゾーンと異なっている。
【０１９８】
図１ａの実施形態と違って、開口部６２ｃ〜ｇは、図１ｂに示されているようにスパイクを案内するガイド手段を備えていない。
【０１９９】
中央オリフィス６２ｂのみが、ここでは凹部の、または第１面６２ａの平坦面からオリフィス６２ｂの開口部への拡張部の形を取るガイド手段６３ｂを、その外周部に備えている。
【０２００】
この配置は、二つのゾーンが互いに区別されることを可能にする。
【０２０１】
開口部の一つからケーシングへ挿入されるスパイク１６を保持する内部部材４０は、図１ａを参照して説明された部材と同一であることに留意されたい。
【０２０２】
しかし、例えば図１ｂに図示されているものなど、内部部材の他の配置および形状もあり得る。
【０２０３】
図５に図示された実施形態は、図１ａのものと同一の第１パーツ１２と、図１ａの第２パーツ３０と比較すると若干変形されている第２パーツ７４とを包含する盗難防止保護アセンブリ７０を示している。
【０２０４】
この第２パーツ７４は、ケーシングの中空本体を構成する第２部分７６を密閉する実質的に平坦なプレートを構成する第１部分７２を包含する。
【０２０５】
プレート７２は、スパイクの挿入のための中央オリフィス７２ｂが形成される第１面７２ａと、参照番号７２ｃの一つのみが図５に示されている複数の開口部とを包含する。
【０２０６】
図１ｂの開口部と全く同じように、この実施形態の開口部は、オリフィス７２ｂを内含する第１ゾーンを囲繞する第２ゾーンの外周に配置される。
【０２０７】
この中央部で、第１面７２ａがオリフィス７２ｂの周囲に中央突出部７２ｄを形成するように、プレート７２は追加厚さを有する。
【０２０８】
ガイド手段（凹部または拡張部分）７３ｂは、オリフィスへの入口でオリフィスの周囲に形成されて、スパイクの挿入を容易にする。
【０２０９】
開口部７２ｃなどの開口部については、第１面７２ａの平面の大部分から、特に突出部７２ｄからセットバックしている。
【０２１０】
このような構造／配置はさらに、開口部を内含する第２ゾーンと中央オリフィス７２ｂを内含する第１ゾーンとの区別を強化する。
【０２１１】
開口部７２ｃへの入口の周囲または入口に、各開口部がガイド手段７３ｃなどのガイド手段を備えていることに留意されたい。
【０２１２】
これらのガイド手段は、例えば、図１ｂに図示されたものと同一である。
【０２１３】
スパイクをケーシングの内側に保持する内部部材４０も、前出の図とともに説明されたものと同一である。
【０２１４】
図６および７に図示された、製品を盗難から保護するための参照番号８０のアセンブリは、図５のものと同一の第１パーツ１２と、図５の第２パーツ７４に対して若干変形されている第２パーツ８４とを包含する。
【０２１５】
この第２パーツ８４は、ケーシングの中空本体を構成する第２部分８６を密閉するプレートを構成する第１部分８２を包含する。
【０２１６】
図５および６の実施形態の間の相違は、プレート８２の、特にその第１面８２ａの構造に存する。
【０２１７】
図５の実施形態と全く同じように、図６に図示された実施形態は、図７に図示された中央挿入オリフィス８２ｂおよび複数の開口部８２ｃ〜ｇを包含する。
【０２１８】
この事例のこれらの開口部のいずれも、例えば図１ａおよび１ｂに示されているようなガイド手段を備えていない。
【０２１９】
しかし、示されていない代替形によれば、このようなガイド手段が各開口部の周囲に配置され得る。
【０２２０】
開口部８２ｃ〜ｇは、中央オリフィス８２ｂを内含する第１ゾーンを囲繞する第２ゾーンに配置されている。
【０２２１】
この実施形態では、プレート８２はまた、図５のものより広い追加厚さを中央部に有する。
【０２２２】
具体的には、図６および７のプレートの追加厚さは、ここでは開口部と中央オリフィス８２ｂの両方が収容されることを可能にする。
【０２２３】
第１面８２ａはこうして、その外周部分では平面状であって、複数の開口部８２ｃ〜ｇと中央オリフィス８２ｂとが形成される中央突出部８２ｈを形成する。
【０２２４】
オリフィス８２ｂへ挿入される際にスパイクを案内するため、このオリフィスの周囲にガイド手段が設けられていることに留意されたい。
【０２２５】
これらのガイド手段８３ｂは、オリフィスへの入口の範囲で第１面の突出部８２ｈから延出する、オリフィスを囲繞する凹部の形を取る。
【０２２６】
図６に示されているように、この凹部は、裏返しの皿の全体形状を有する。
【０２２７】
オリフィス８２ｂの周囲のこの構造は、こうして、二つのゾーン（開口部を支承するものとオリフィスを支承するもの）を互いに区別することを可能にする。
【０２２８】
ガイド手段８３ｂを含むオリフィスを内含する第１ゾーンの構造は、この第１ゾーンが個別化され、そのため第２ゾーンから区別されるようにすることに留意されたい。
【０２２９】
この実施形態では、ここではプレートの厚さに対応するプレートの高さ方向に、オリフィス８２が開口部からセットバックしている。
【０２３０】
図８の実施形態は、図６および７の実施形態との相違が非常にわずかである盗難防止アセンブリ９０を図示している。
【０２３１】
保護アセンブリ９０は、図６のものと同一の第１パーツ１２と、若干変形された第２パーツ９４とを包含する。
【０２３２】
この第２パーツ９４は、ケーシングの中空本体を構成する第２部分９６を密閉する実質的に平坦なプレートを構成する第１部分９２を包含する。
【０２３３】
プレート９２は、図６のプレート８２と全く同じように追加厚さを有し、その中に、スパイク９２ｂの挿入のための中央オリフィスと、開口部９２ｃなどの複数の開口部とが形成されている。
【０２３４】
第１面９２ａはその外周部分が平面状で、オリフィスと開口部とが形成される中央突出部９２ｄを形成する。
【０２３５】
ここで、開口部のオリフィスはその突出部分で第１面からセットバックしていることに留意されたい。
【０２３６】
オリフィス９２ｂと、開口部９２ｃなどの開口部とは、スパイクを案内してそのためオリフィスまたは開口部の一つへのその挿入を容易にするガイド手段も備えている。
【０２３７】
オリフィス９２ｂはこうして、凹部または拡張部の形を取るガイド手段９３ｂを備えている。
【０２３８】
この凹部または拡張部は、例えば、裏返しの皿または漏斗の全体形状を有する。
【０２３９】
開口部９２ｃのような開口部はまた、収束した、例えば漏斗形の全体形状を有する、図１ａおよび１ｂに図示されたものと同一のガイド手段を各々が備えている。
【０２４０】
開口部９２ｃはこうして、収束案内形状９３ｃをその入口に備えている。
【０２４１】
説明したばかりのすべての実施形態において、開口部を包含する第２ゾーンとオリフィスを包含する第１ゾーンとはすべて同じ幾何学的レイアウトで示されているが、これは一つの例示的実施形態を構成するに過ぎない。
【０２４２】
実際、他の幾何学的配置もあり得る。
【０２４３】
例えば、開口部がオリフィスからさらに離間しており、例えば図６および８の第１面の外周平面部分に配置されてもよい。
【０２４４】
開口部の数、これらが互いに対して配置される手法、そして同様に関連のガイド手段も、違うものであってもよい。
【０２４５】
開口部はこうして、例えば互いに対する交互配置構成で、または他の何らかの幾何学的配置で配置されてもよい。
【０２４６】
ガイド手段は、例えば、二つの連続開口部を一緒に接続する一つ以上の凹部の形を取り、図１ａ乃至８に図示された凹部が互いに独立していてもよい。
【０２４７】
例えば、二つの連続開口部の間に延びるスロット／トラフの形の凹部を用いてすべての開口部を一緒に接続することを考えることが可能である。
【０２４８】
同様に、保護アセンブリのケーシングを構成する第２パーツの形状は、スパイクの長さの一部がより簡単に収容され得るように外周部で肉厚となるように変更することができる。
【０２４９】
ケーシングはまた、必ずしも円筒形または半球形ではなく、例えば矩形、方形、または他の何らかの形状である形状を取ってもよい。
【０２５０】
図９は、複数の開口部を包含する第２ゾーンが保護アセンブリの第２パーツの第１面にはもはや配置されずに別の面に配置されている、別の形の実施形態を図示している。
【０２５１】
図９に示されているように、製品を盗難から保護する参照番号１００のアセンブリは、図１ａのものと同一の第１パーツ１２と、図１ａの第２パーツ３０とは違う第２パーツ１０２とを包含する。
【０２５２】
この第２パーツ１０２は、ケーシングの中空本体を構成する第２部分１０４を密閉するプレートを構成する第１部分６２を包含する。
【０２５３】
二つのパーツ１２および１０２を盗難防止保護モードで組み立てるためのスパイク挿入用のオリフィスは、図１ａのオリフィス３２ｂと同様に、第１面に配置される。
【０２５４】
第２ゾーンの開口部については、外被部を規定する第２パーツの第２面１０４ａに形成されている。
【０２５５】
図９の図では、外面１０４ａは、第１部分６２の第１面６２ａと反対の面を規定する。
【０２５６】
この例では、スパイク１６が仮に挿入されるように、二つの貫通開口部が第２部分１０４の壁部に形成されている。
【０２５７】
開口部１０６および１０８は、ケーシングの高さが最大であるケーシングの本体の中央部に対して径方向にできる限り近接して空洞３６を囲繞する壁部４２にできる限り近接して形成される。
【０２５８】
この配置は、過剰な変更を第２パーツ１０２に加えることなくスパイクがより容易に収容されることを可能にする。
【０２５９】
図９に示されているように、スパイクが挿入されてしまうとハブ形成壁部３２ｅと整合されるように、開口部１０６および１０８はこの壁部と並んで垂直に配置される。
【０２６０】
スパイク１６をケーシングの内側のより深いところに嵌合させることを所望する場合には、図１ａの実施形態については、ハブ形成壁部３２ｅが中断されている場所でスパイクの自由端部がプレート６２を垂直方向に貫通するように、この壁部に局所的な中断部を設けることが可能である。
【０２６１】
同じ周方向レイアウトか違う径方向位置で多数の開口部が第２パーツ１０２の第２面に配置されてもよいことに留意されたい。
【０２６２】
開口部の数およびレイアウトは特に、ケーシングの構成に、具体的には、スパイクが挿入される領域の高さに依存している。
【０２６３】
前面に所在するプレート６２が実質的に平面状であるので、凸状（例えばドーム状）の第２パーツが、図９に図示された位置で平坦面（テーブルなど）に置かれて、後面へのスパイクの導入を容易にすることが可能である。
【０２６４】
また、ケーシングの後面にスパイクが設置されると、輸送中に容器内でアセンブリを安定させる。
【０２６５】
さらに、図９の配置は、仮組立モードを識別することを容易にする。
【０２６６】
図９に示されていないが、一つ以上の開口部が、開口部１０６および１０８と並んでプレート６２の厚みに形成されてもよい。
【０２６７】
二つの整列された貫通開口部を保護アセンブリの第２パーツに有することの利点は、二つの整列開口部のいずれか一つを用いてアセンブリの二つのパーツが互いに仮に組み立てられ得るという事実に存する。
【０２６８】
この実施形態は、一度の作業中に実施することが特に簡単である。
【０２６９】
しかし、様々な理由から、ケーシングの第２部分１０４に形成された開口部と整列させずに、これらの貫通開口部をプレート６２に設けることも可能である。
【０２７０】
図９に示された内部部材は図１ａに示されたものと同一でありその動作自体も同じであることに留意すべきである。
【０２７１】
しかし、この内部部材が、別の内部部材、例えば図１ｂに示された種類（タブ）のものと置き換えられてもよく、例えば壁部６２または第２部分１０４の壁部の内面にこのタブが固着されることが可能である。
【０２７２】
言うまでもなく、このような事例では、ケーシング内での可能仮組立位置と同数の内部部材を有することが適切である。
【０２７３】
しかし、示されていない代替形によれば、仮組立位置のいずれか一つへ挿入されてしまうとスパイクを保持する部材として作用する、実質的に環状の形状の内部部材を一つのみ配置することもあり得る。
【０２７４】
図１０および１１は、本発明による保護アセンブリの別の実施形態を図示している。
【０２７５】
このアセンブリ１１０は、前に説明されたものと同一の第１パーツ１２と、ケーシングの全体形を持つ第２パーツ１１２とを包含する。
【０２７６】
この第２パーツ１１２は、ケーシングの本体を形成して第１面１１４ａでは部分的に開口する部分１１４を包含するのに対して、反対の第２面１１４ｂは密閉されて凸状の形状、例えば他の実施形態で図示された形状のようなドーム状である。
【０２７７】
図１ａの実施形態でのように、二つのパーツを保護モードで組み立てるためのスパイク挿入用の中央オリフィス３２ｂは、ケーシング１１２の前正面で中央プレート１１６に形成される。
【０２７８】
この中央プレート１１６は、オリフィス３２ｂを包含する第１ゾーンを構成する。
【０２７９】
第２パーツ１１２はまた、スパイク１６が多数の可能な位置に随意で挿入されて仮組立位置に保持されるようにする軟質弾性材料１１８を包含する第２ゾーンも包含する。
【０２８０】
弾性変形可能なこのような材料はこうして、スパイクが材料の本体へ挿入された後でこうしてスパイクを受容することができ、このスパイクは仮組立の終了時に随意で完全に引き抜かれ得る。
【０２８１】
このような材料は、例えば、予め規定された寸法および予め規定された形状の空間でケーシング１１２の内側に収容されるように選択された形状を取るように射出成形され得る、弾性ゴムなどのエラストマである。
【０２８２】
図１０および１１に図示された例では、材料を包含する第２ゾーンは、中央オリフィス３２ｂを内含する第１ゾーンを完全に囲繞する。
【０２８３】
しかし、示されていない代替形では、各々がケーシングに中空部分を包含して軟質弾性材料が充填されるいくつかのサブゾーンに第２ゾーンが分割されてもよい。
【０２８４】
第２ゾーンはこうして不連続であり得る。
【０２８５】
こうして材料は、例えば製紙に使用される粘性ゴムの粘度を有するか、必要に応じてより低い粘度を有してもよい。
【０２８６】
図１０および１１に示されているように、第２ゾーンは、ケーシング１１２の内側に形成されて軟質弾性材料が充填される中空部分を包含する。
【０２８７】
環状の形状またはトレンチの形の壁構造がケーシングの内側に配置されて、軟質弾性材料が設けられる中空環状の内部空間を形成する。
【０２８８】
例を挙げると、この壁構造は平坦壁部から形成され、その中央部は、（ガイド手段３３ｂを備える）オリフィス３２ｂを囲繞する第１ゾーンでプレート１１６を形成してから、プレート１１６に垂直に側方へ延出して、プレートの各側に一つずつ二つの空間を形成し、各々が実質的に逆Ｖ字形である。
【０２８９】
こうして、壁構造は、概して尖っている中央部がここで平坦となった、Ｍの全体形状を有する。
【０２９０】
この壁構造１２０は、ケーシング１１２の第２部分１１４に据え付けられて、実質的に円筒形の壁部４２により囲繞される中央部の形状と一致する。
【０２９１】
壁構造１２０はまた、ケーシングの第２部分１１４の開口前面にある環状縁部１２０ａに当接してこれを密閉する。
【０２９２】
壁構造１２０はこうして、材料１１８が充填され得るように外側に開口する内部空間と、販売箇所への入口および出口に概して位置するセキュリティゲートなどのセキュリティ設備と協働して電磁波を送受信することが可能な一つ以上の能動セキュリティ部材を収容する、ケーシングの外周部の密閉内部空間１２２とを形成する。
【０２９３】
充填材料１１８が壁部材１２０の内側に設けられる空間の寸法に合わせた形状を持つ時には、図１０に示されたようにこの空間に置かれる。
【０２９４】
図１１に見られる押さえ手段は、この目的のためケーシングに設けられる中空部分に材料１１８を保持するために設けられている。
【０２９５】
これらの手段は実際には、スパイク１６が材料１１８から引き抜かれる時に材料を中空部分の内側に残すことができる。
【０２９６】
これらの手段は、例えば図１１では、材料１１８の外周部の一部と重複するようにケーシングの中央に向かって延在する外周縁部１２０ａの周囲に配置される環状カラーの外観を取る。
【０２９７】
これらの押さえ手段が他の形を取ってもよいことは言うまでもなく、図１０には示されていない。
【０２９８】
図１０および１１に示されているように、オリフィス３２ｂを内含する第１ゾーンと材料１１８を包含する第２ゾーンとが、第２パーツ１１０の一つの同じ面、すなわち正面と呼ばれる第１面に配置される。
【０２９９】
図１２は、本発明による保護アセンブリ１３０の別の実施形態を図示している。
【０３００】
この図では、保護アセンブリ１３０のケーシング形成部１３２のみが示されている。
【０３０１】
スパイクが装着された第１パーツは、他の図に示された第１パーツ１２と同一である。
【０３０２】
図１２に示されているように、パーツ１３２は、ケーシングの本体を構成する部分１３５を密閉するプレートまたは壁部１３４を包含する。
【０３０３】
このプレート１３４は、実質的に平面状であって、（図１０の実施形態と同じように）スパイク挿入オリフィス３２ｂにガイド手段３３ｂが形成された前面または正面を有する。
【０３０４】
オリフィス３２ｂは中央第１ゾーンＺ１に形成され、第１ゾーンを部分的に囲繞する外周の第２ゾーンＺ２が第１面１３４ａに設けられている。
【０３０５】
この第２ゾーンは第１ゾーンから充分に離間して配置されているが、二つのゾーンを互いに区別することが可能である。
【０３０６】
また、この第２ゾーンは、やはり第１ゾーンから区別される構造を有する。
【０３０７】
第２ゾーンはここでは、各々が例えば環状部分の形状を有する二つのサブゾーンＺ２１（材料１３６）とＺ２２（材料１３８）との形で示されている。
【０３０８】
より具体的には、各ゾーンは例えば、豆のものと実質的に似た形状を有する。
【０３０９】
これらのゾーンの各々は、第１パーツのスパイク１６が多数の可能位置で随意に挿入されて仮組立位置に保持される軟質弾性材料を包含する。
【０３１０】
図１０および１１の材料１１８の特徴および利点が図１２の実施形態にも同じく当てはまり、繰り返されることはない。
【０３１１】
仮組立モードでのスパイクの挿入のための軟質弾性材料を包含する異なる数のゾーンが予想され得ることに留意されたい。
【０３１２】
例えば、示された二つのサブゾーンではなく、単一のゾーンが第１面１３４ａに形成されてもよく、この単一ゾーンの形状が二つのサブゾーンの形状の一つか違う形状、例えば、尖端が中央オリフィス３２ｂを指している角のある扇形の形状を取るとよい。
【０３１３】
多かれ少なかれ環状の輪を形成するように、多数、例えば４個のサブゾーンも予想され得るが、これらのサブゾーンのすべては不連続である。
【０３１４】
図１３は、開口部ゾーンと軟質弾性材料を内含する二つの材料ゾーンＺ２１およびＺ２２とを組み合わせた第２ゾーンＺ２を包含する、図１２の保護アセンブリの実施形態の代替形を図示している。
【０３１５】
サブゾーンＺ２１およびＺ２２は、図１２を参照して説明されたものと同一である。
【０３１６】
複数の開口部６２ｃ〜ｇを包含する開口部ゾーンは、図４に図示された開口部ゾーンと同一である。
【０３１７】
図１３に示されているように、開口部ゾーンと材料ゾーンとは第１ゾーンのオリフィス６２ｂを含む第１面１３４ａに配置されている。
【０３１８】
この幾何学的レイアウトでは、二つの材料サブゾーンは、それ自体がオリフィス６２ｂを部分的に囲繞する開口部ゾーンを部分的に囲繞する。
【０３１９】
示されていない代替形では、開口部ゾーンの複数の開口部が第１面１３４ａの外周部に配置されて材料サブゾーンがオリフィスの周囲の第１ゾーンＺ１に近接している限りは、配置が逆転されてもよい。
【０３２０】
この配置では、開口部とオリフィスとを混同する危険が、これらの開口部がオリフィスから非常に離間しているため、かなり低下する。
【０３２１】
言うまでもなく、材料ゾーンと開口部ゾーンとをケーシングの一つの同じ面で組み合わせることにより、ゾーンまたはサブゾーンの各々の形状、数、位置は、目的の用途の要件および明細に適したものになり得る。
【０３２２】
図１４は、保護アセンブリ１５０の別の実施形態を図示している。
【０３２３】
このアセンブリは、前出の図を参照して説明されたものと同一でスパイク１６を備える第１パーツ１２と、例えばケーシングの形を取る第２パーツ１５２との２つのパーツを包含する。
【０３２４】
この第２パーツ１５２は、保護モードのスパイク挿入用のオリフィス３２ｂが形成される第１面１５４ａを有する、実質的に平面形状のプレート１５４を包含する。
【０３２５】
このプレートは、ケーシングの中空本体を形成する部分１６４を密閉するプレートを構成する。
【０３２６】
この部分１６４は、この事例では第２面と呼ばれ、第１面１５４ａと反対の面である実質的に凸形状の外面を有する。
【０３２７】
図１４の断面で見ると、ケーシングの内側は、図１０の壁構造１２０と類似した壁構造１６８を含む形状／構成を持つ。
【０３２８】
図１４に非常に概略的に図示されているように、この壁はこうして、断面で見た時に、一つ以上の能動または受動検出部材を収容するための密閉外周空間１７０と、仮組立モードでスパイク１６を受容するのに使用される軟質弾性材料を収容する環状開口空間とを連続的に形成するように、波形状を取る。
【０３２９】
こうして、スパイクを刺すための軟質弾性材料を包含する第２ゾーンが保護アセンブリの第２パーツの第２面１６４ａに配置されるのに対して、ロックのためのオリフィスを内含する第１ゾーンは第２パーツの第１面１５４ａに形成される。
【０３３０】
例えば図１２および１３に図示されたサブゾーンのように、ケーシングの第２面にスパイクを刺す材料を収容するための他の形の実施形態もあり得ることに留意されたい。
【０３３１】
上記を通してスパイクは概して（ケーシングを密閉する壁部に垂直な）垂直配向で押し込まれるが、他の配向も考えられ、例えば、材料１７２へスパイクを導入するために空いたままの空間が、図のように実質的に水平方向ではなく実質的に垂直方向に配置されるとすると、スパイク１６はプレート１５４と平行に配置されてもよい。
【０３３２】
これらの様々な可能配置が、ケーシングの他の領域および機能部、特にロック手段が所在する中央領域、そして単数または複数のセキュリティ部材が設けられる外周領域のレイアウトを変更する可能性があることは、かなり自明である。
【０３３３】
また、様々な代替形では、単数か複数の能動または受動セキュリティ部材が本発明による保護アセンブリの第１パーツに配置されるとよいことに留意されたい。
【符号の説明】
【０３３４】
１０  アセンブリ
１２  第１パーツ
１４  ヘッド
１６  スパイク
１６ａ  スパイクの端部
１６ｂ  スパイクの自由端部
１８  トレイ
１８ａ  トレイの底面
１８ｂ  トレイの反対面
２０  環状縁部
２２  内部ハウジング
２４  保護インタフェース要素
３０  第２パーツ
３２  プレート
３２ａ  第１面
３２ｂ  オリフィス
３２ｃ，３２ｄ，３２ｅ，３２ｆ，３２ｇ  開口部
３３ｂ  凹部
３３ｃ，３３ｄ，３３ｅ，３３ｆ，３３ｇ  ガイド手段
３４  第２部分
３６  中央空洞
３８  環状室
４０  内部部材
４２  内壁部
４４  壁部
４４ａ  壁部の内面
５０  アセンブリ
５２  第２部分
５２ａ  第２部分の第１面
５２ｂ  中央オリフィス
５２ｃ  開口部
５２ｄ  第２部分の内面
５４  タブ
５４ａ  タブの突出部
６０  保護アセンブリ
６２  第１部分
６２ａ  第１部分の第１面
６２ｂ  中央オリフィス
６２ｃ，６２ｄ，６２ｅ，６２ｆ，６２ｇ  開口部  
６３ｂ  ガイド手段
６４  第２パーツ
６６  第２部分
７０  盗難防止保護アセンブリ
７２  第１部分
７２ａ  第１部分の第１面
７２ｂ  オリフィス
７２ｃ  開口部
７２ｄ  中央突出部
７３ｂ  ガイド手段
７３ｃ  ガイド手段
７４  第２パーツ
７６  第２部分
８０  アセンブリ
８２  第１部分
８２ａ  第１部分の第１面
８２ｂ  オリフィス
８２ｃ，８２ｄ，８２ｅ，８２ｆ，８２ｇ  開口部
８２ｈ  中央突出部
８３ｂ  ガイド手段
８４  第２パーツ
８６  第２部分
９０  盗難防止保護アセンブリ
９２  第１部分
９２ａ  第１部分の第１面
９２ｂ  オリフィス
９２ｃ  開口部
９２ｄ  中央突出部
９３ｂ  ガイド手段
９３ｃ  収束ガイド形状
９４  第２パーツ
９６  第２部分
１００  アセンブリ
１０２  第２パーツ
１０４  第２部分
１０４ａ  第２部分の第２面
１０６，１０８  開口部
１１０  アセンブリ
１１２  第２パーツ
１１４  第２部分
１１４ａ  第２部分の第１面
１１４ｂ  第２部分の第２面
１１６  中央プレート
１１８  軟質弾性材料
１２０  壁構造
１２０ａ  外周縁部
１２２  密閉内部空間
１２４  押さえ手段
１３０  保護アセンブリ
１３２  ケーシング形成部
１３４  壁部
１３４ａ  壁部の第１面
１３５  ケーシング本体形成部分
１３６，１３８  軟質弾性材料
１５０  保護アセンブリ
１５２  第２パーツ
１５４  プレート
１５４ａ  プレートの第１面
１６４  本体形成部分
１６４ａ  本体形成部分の第２面
１６８  壁構造
１７０  密閉外周空間
１７２  軟質弾性材料
Ｚ１  第１ゾーン
Ｚ２  第２ゾーン
Ｚ２１，Ｚ２２  材料ゾーン
【図１ａ】
2014522026.tif 000003
【図１ｂ】
2014522026.tif 000004
【図２】
2014522026.tif 000005
【図３】
2014522026.tif 000006
【図４】
2014522026.tif 000007
【図５】
2014522026.tif 000008
【図６】
2014522026.tif 000009
【図７】
2014522026.tif 000010
【図８】
2014522026.tif 000011
【図９】
2014522026.tif 000012
【図１０】
2014522026.tif 000013
【図１１】
2014522026.tif 000014
【図１２】
2014522026.tif 000015
【図１３】
2014522026.tif 000016
【図１４】
2014522026.tif 000017
【国際調査報告】
2014522026.tif 000018
2014522026.tif 000019
2014522026.tif 000020
2014522026.tif 000021